(57)【特許請求の範囲】
【請求項１】
複数本の毛材を束ねた増毛用材料の一部に、後に縮小可能なループ部を設け、そのループ部を被増毛者の産毛の毛根部付近に結び付けるための複数のループ付増毛用材料の保持具であって、
矩形状の基材シートと、
矩形状であって、その一辺が前記基材シートの１つの長辺又は１つの短辺に連接されたカバーシートと、
前記基材シートの長辺方向の一端側に短辺方向に平行に設けられ、前記ループ部が挿入され、前記増毛用材料が所定の間隔で多数配置される棒状部材と、
前記棒状部材の少なくとも１端を前記基材シートに着脱自在に保持する保持部材と、
前記棒状部材の表面の長手方向に設けられ、前記ループ部を前記棒状部材に仮固定する少なくとも１つの吸着部材と、
を備えた増毛用材料の保持具。
【請求項２】
請求項１に記載の増毛用材料の保持具において、
前記棒状部材に挿入された前記増毛用材料の前記ループ部を表面側から覆うカバー部材をさらに備えること、
を特徴とする増毛用材料の保持具。
【請求項３】
請求項１に又は請求項２に記載の増毛用材料の保持具において、
前記棒状部材は、円筒状の部材であり、
前記保持部材は、前記円筒の端部に挿入される鉤状の部材であること、
を特徴とする増毛用材料の保持具。
【発明の詳細な説明】
【技術分野】
【０００１】
本発明は、増毛用材料の保持具に関するものである。
【背景技術】
【０００２】
従来技術として、例えば、増毛に使用する一端にループを設けた多数の増毛用材料を保持し、保管、持ち運び、増毛作業時に使用するための増毛用材料の保持シートが知られている（例えば、特許文献１）。
【先行技術文献】
【特許文献】
【０００３】
【特許文献１】特許第３２０６８７９号公報
【発明の概要】
【発明が解決しようとする課題】
【０００４】
近年、産毛の毛根部付近に毛材を結び付けたいという要請があるが、産毛に結束する増毛用材料は、産毛が一般に疎らに生えているので、１本の産毛が担う毛材の数が増えてしまう。毛材の本数が、例えば、４本で中間にループ部を設け、開放端側では８本になってしまう。このため、特許文献１のものは、増毛用保持部が面ファスナーであるので、多数本の毛材がまとわりついてしまい、作業がしづらいという問題があった。
【０００５】
本発明の課題は、毛材の本数が増えても、まとわりつくことがなく、増毛用材料を１束ずつ分離することができる増毛用材料の保持具を提供することである。
【課題を解決するための手段】
【０００６】
前記課題を解決するために、請求項１の発明は、複数本の毛材を束ねた増毛用材料（２０）の一部に、後に縮小可能なループ部（２１）を設け、そのループ部を被増毛者の産毛の毛根部付近に結び付けるための複数のループ付増毛用材料の保持具であって、矩形状の基材シート（１１）と、矩形状であって、その一辺が前記基材シートの１つの長辺又は１つの短辺に連接されたカバーシート（１１）と、前記基材シートの長辺方向の一端側に短辺方向に平行に設けられ、前記ループ部が挿入され、前記増毛用材料が所定の間隔で多数配置される棒状部材（１３）と、前記棒状部材の少なくとも１端を前記基材シートに着脱自在に保持する保持部材（１４）と、前記棒状部材の表面の長手方向に設けられ、前記ループ部を前記棒状部材に仮固定する少なくとも１つの吸着部材（１５）と、を備えた増毛用材料の保持具である。
請求項２の発明は、請求項１に記載の増毛用材料の保持具において、前記棒状部材に挿入された前記増毛用材料の前記ループ部を表面側から覆うカバー部材（１６）をさらに備えること、を特徴とする増毛用材料の保持具である。
請求項３の発明は、請求項１又は請求項２に記載の増毛用材料の保持具において、前記棒状部材は、円筒状の部材であり、前記保持部材は、前記円筒の端部に挿入される鉤状の部材であること、を特徴とする増毛用材料の保持具である。
以上、理解を容易にするために、本発明の実施形態に対応する符号を付して説明したが、これに限定されるものではない。なお、符号を付して説明した構成は、適宜改良してもよく、また、少なくとも一部を他の構成に代替してもよい。
【発明の効果】
【０００７】
本発明によれば、毛材の本数が増えても、まとわりつくことがなく、増毛用材料を１束ずつ分離することができる、という効果がある。
【図面の簡単な説明】
【０００８】
【図１】本発明による増毛用材料の保持具の実施形態を示す平面図である。
【図２】本実施形態による増毛用材料の保持具の保持部材付近（保持状態）を示す部分拡大斜視図である。
【図３】本実施形態による増毛用材料の保持具の保持部材付近（開放状態）を示す部分拡大斜視図である。
【図４】本実施形態による増毛用材料の保持具の棒状部材を示す拡大断面図である。
【図５】本発明による増毛用材料の保持具の他の実施形態の棒状部材を示す拡大断面図である。
【図６】本実施形態のループ付増毛用材料を被増毛者の産毛に結びつける経過についての説明図である。
【発明を実施するための形態】
【０００９】
以下、図面等を参照しながら、本発明の実施形態についてさらに詳しく説明する。
図１は、本発明による増毛用材料の保持具の実施形態を示す平面図である。
この増毛用材料の保持具１０は、複数本の毛材を束ねた増毛用材料２０の一部に、後に縮小可能なループ部２１を設け、そのループ部２１を被増毛者の産毛の毛根部付近に結び付けるための複数のループ付増毛用材料２０の保持具であって、基材シート１１と、カバーシート１２と、棒状部材１３と、保持部材１４（１４Ａ，１４Ｂ）と、吸着部材１５と、カバー部材１６等とを備えている。
【００１０】
基材シート１１とカバーシート１２は、紙や樹脂製の矩形状をした１枚のシートを中央の折線１２ａで２つ折りしたものであり、折線１２ａの上端付近には、スリット１２ｂが形成されている。また、カバーシート１２は、使用時にスリット１２ｂの長さの部分を曲げ起こすための折線１２ｃが形成されている（図２参照）。
基材シート１１は、下端のほぼ中央にスリット１１ａが形成されており、スリット１１ａの端部には、円形孔１１ｂが形成されている。
【００１１】
棒状部材１３は、基材シート１１の上端側に設けられ、ループ部２１が挿入され、増毛用材料２０が所定の間隔で多数配置される部材であり、この実施形態では、ストロー状の円筒部材が用いられている。
【００１２】
保持部材１４（１４Ａ，１４Ｂ）は、棒状部材１３の両端を基材シート１１に着脱自在に保持する部材であり、この実施形態では、基材シート１１に接着される基部１４ａと、基部１４ａに連接され楔状をした鉤部１４ｂとからなり、鉤部１４ｂは、円筒状の棒状部材１３の端部に挿入されることにより、棒状部材１３を基材シート１１に保持している。
【００１３】
吸着部材１５は、棒状部材１３の表面の長手方向に設けられ、ループ部２１を棒状部材１３に仮固定する弱粘着性のテープ部材である（図４参照）。
【００１４】
カバー部材１６は、棒状部材１３に挿入された増毛材料２０のループ部２１を表面側から覆って保持する部材である。この実施形態では、図３に示すように、ストロー状の円筒部材の母線方向にスリットが形成されたものを使用しており、棒状部材１３よりも若干径が大きいものを使用している。カバー部材１６を被せると、ループ部２１間の吸着部材１５がカバー部材１６の内側に着いてくれるので、ループ部２１を安定して仮固定できる。そして、カバー部材１６が棒状部材１３にピタット嵌まるので、保管、持ち運び時等に、強い力がかかったような場合にも、増毛材料２０がずれてしまう、というような不都合はなくなる。
【００１５】
増毛用材料２０は、ループ部２１が棒状部材１３に所定の間隔で多数配置され、吸着部材１５で仮り固定されている。また、中央付近で紐１１ｃにより束ねられ、その先端は、基材シート１１のスリット１１ａを通して、孔１１ｂに挿入される。この上から、カバーシート１２が被せられる。
この保持具１０は、この状態で、保管、持ち運びされるが、各増毛用材料２０が所定間隔を保持できるとともに、先端部が互いに絡みつくことがない。
増毛作業時には、図３に示すように、カバー部材１６のスリットの部分を開いて矢印Ａ方向に外し、棒状部材１３の一端を保持部材１４から外し、矢印Ｂ方向に抜き、棒状部材１３を図示しない台座に対して鉤の字（逆さＬ字）に曲げられた円柱棒に差し込んで、使用する。
【００１６】
（他の実施形態）
図５は、本発明による増毛用材料の保持具の他の実施形態の棒状部材を示す拡大断面図である。
この実施形態では、吸着部材１５の他に、吸着部材１５Ａを棒状部材１３の表面の長手方向に設けたものである。このため、ループ部２１を確実に固定することができる。
【００１７】
図６は、本実施形態のループ付増毛用材料２０を被増毛者の産毛３０に結びつける経過についての説明図である。
先ず、図６（ａ）に示すように、複数本（この例では３本）の産毛３０（３１，３２，３３）をループ部２１の輪に潜らせる。次に、増毛材料２０を左手でつかみ、ループ部２１の輪から引き出した産毛３０をピンセット（例えば、毛抜きピンセット）４１で挟み、Ｄ方向に引っ張ると、図６（ｂ）に示すように、ループ部２１が産毛３０の毛根近くで縮まる。産毛３０は、２〜３ｍｍでも、つかむことができるため、短い産毛も結着することができる。
【００１８】
ここで、図６（ｃ）に示すように、産毛３１の先端をピンセット４１でつかみ、矢印Ｅのように、折り返して、図６（ｄ）に示すように、増毛用材料２０のループ部２１の輪に再度潜らせる（矢印Ｆ）。最後に、図６（ｅ）に示すように、増毛用材料２０のループ部２１の結束した部分に人体用の接着剤４２を用いて、接着する。こうすることで、産毛が重なりあい、３本が６本のかたまりとなるため、接着の範囲と太さがでるので、強度が増す。
【００１９】
本発明によれば、産毛は、１本の自毛（髪の毛）より細く柔らかで短いが、３〜４本に集中すると、１本の髪より太く丈夫になる。その産毛に６〜１２本の増毛用材料２０を結着し、接着剤で固定することにより、見た目に産毛で薄毛になった箇所に髪が生えたような自然さがよみがえる。
【００２０】
（変形形態）
以上説明した実施形態に限定されることなく、種々の変形や変更が可能であって、それらも本発明の技術的範囲内である。
（１）カバーシート１２は、基材シート１の長辺側に連接された例で説明したが、短辺に連接するようにしてもよい。
（２）カバー部材１６に代えて、棒状部材１３に挿入された増毛材料２０のループ部２１を表面側から仮固定する表面側吸着部材を設けるようにしてもよい。
【符号の説明】
【００２１】
１１：基材シート
１２：カバーシート
１３：棒状部材
１４（１４Ａ，１４Ｂ）：保持部材
１５：吸着部材
１６：カバー部材
２０：増毛用材料
２１：ループ部
【図１】
0005959178.tif 000002
【図２】
0005959178.tif 000003
【図３】
0005959178.tif 000004
【図４】
0005959178.tif 000005
【図５】
0005959178.tif 000006
【図６】
0005959178.tif 000007